(57)【要約】【課題】光配線箱を薄型化して、光集合モジュール内に設置する光配線箱を増大せしめて光ファイバを高密度に収納する。【解決手段】光配線箱１は、第１方向の両側に突出する取付部１１を備えた複数の光アダプタ３を、第１方向に直交する第２方向に並列に配設する。さらに、光アダプタ３の両側の取付部１１の第１方向の全長とほぼ同じ幅寸法を有するケース本体１９と、このケース本体１９の幅寸法を有する前面に、複数の光アダプタ３を第２方向に並列に挿入するアダプタ装着穴部２３と、このアダプタ装着穴部２３の第１方向の両側に複数の光アダプタ３の両側の取付部１１を第２方向に並列に配列して突き当てるアダプタ突当て部２５と、このアダプタ突当て部２５に突き当てられた複数の光アダプタ３の両側の取付部１１を第２方向に亘って押さえて固定する押え部材２７と、から構成される。【選択図】図１
2005165075.tif 000002
【特許請求の範囲】
【請求項１】
第１方向の両側に突出する取付部を備えた複数の光アダプタを、前記第１方向に直交する第２方向に並列に配設して前面に取付ける光配線箱において、
前記光アダプタの両側の取付部の第１方向の全長とほぼ同じ幅寸法を有するケース本体と、このケース本体の前記幅寸法を有する端面に、前記複数の光アダプタを前記第２方向に並列に挿入するアダプタ装着穴部と、このアダプタ装着穴部の前記第１方向の両側に前記複数の光アダプタの両側の取付部を第２方向に並列に配列して突き当てるアダプタ突当て部と、このアダプタ突当て部に突き当てられた前記複数の光アダプタの両側の取付部を第２方向に亘って押さえて固定する押え部材と、から構成してなることを特徴とする光配線箱。
【請求項２】
前記押え部材の表面側に、前記複数の各光アダプタに対応する線番表示を設けていることを特徴とする請求項１記載の光配線箱。
【請求項３】
前記押え部材を、前記複数の光アダプタの取付部のうちの一又は複数箇所の位置で固定具を介して前記アダプタ突当て部に固定することを特徴とする請求項１又は２記載の光配線箱。
【請求項４】
前記押え部材を、前記複数の光アダプタの取付部の第２方向の両外側の位置で固定具を介して前記アダプタ突当て部に固定することを特徴とする請求項１又は２記載の光配線箱。
【請求項５】
一方向の両側に突出する取付部を備えた複数個の光アダプタを、前記第１方向に直交する第２方向に並列に配設して前面に取付ける光配線箱と、この光配線箱の複数個を前記第１方向に並列に配設する光配線架と、からなる光集合モジュールにおいて、
前記各光配線箱が、前記光アダプタの両側の取付部の第１方向の全長とほぼ同じ幅寸法を有するケース本体と、このケース本体の前記幅寸法を有する端面に、前記複数の光アダプタを前記第２方向に並列に挿入するアダプタ装着穴部と、このアダプタ装着穴部の前記第１方向の両側に前記複数の光アダプタの両側の取付部を第２方向に並列に配列して突き当てるアダプタ突当て部と、このアダプタ突当て部に突き当てられた前記複数の光アダプタの両側の取付部を第２方向に亘って押さえて固定する押え部材と、から構成していることを特徴とする光集合モジュール。
【請求項６】
前記押え部材の表面側に、前記複数の各光アダプタに対応する線番表示を設けていることを特徴とする請求項５記載の光集合モジュール。
【請求項７】
前記押え部材を、前記複数の光アダプタの取付部のうちの一又は複数箇所の位置で固定具を介して前記アダプタ突当て部に固定することを特徴とする請求項５又は６記載の光集合モジュール。
【請求項８】
前記押え部材を、前記複数の光アダプタの取付部の第２方向の両外側の位置で固定具を介して前記アダプタ突当て部に固定することを特徴とする請求項５又は６記載の光集合モジュール。
【発明の詳細な説明】
【技術分野】
【０００１】
この発明は、光配線箱及びこの光配線箱を備えた光集合モジュールに関し、特に光配線を高密度に実装可能な光配線箱及びこの光配線箱を備えた光集合モジュールに関する。
【背景技術】
【０００２】
従来、加入者系と局内との光ケーブルを接続するために、光成端箱、光モジュール、光カプラモジュール、光スプリッタモジュール等で光接続可能とするための光ファイバ収納ケース、あるいは光アダプタ用ベースが開発されている（例えば、特許文献１及び特許文献２参照）。
【０００３】
光ファイバの接続形式としては、例えば、局内の光ケーブルから単心光ファイバに分岐して、各単心光ファイバの先端が光コネクタにて成端され、この成端した光コネクタが光ファイバ収納ケースの内側の光アダプタに接続される。一方、光ファイバ収納ケースの外側の光アダプタには、加入者側の単心光ファイバに成端された光コネクタが接続される（例えば、特許文献３参照）。なお、用途に応じて、光スプリッタやカプラなどの光部品が光ファイバの間に介設されることもある。
【０００４】
いずれにしても、以上のように、光ファイバ収納ケースは外部の光ファイバが光コネクタ及び光アダプタによって切り替え自在となっている。
【０００５】
図７及び図８（Ａ），（Ｂ），（Ｃ）を参照するに、一般的に、従来の光配線箱としての光ファイバ収納ケース１０１は扁平縦型であって、多数の光ファイバ収納ケース１０１が図９に示されているように例えば光成端箱１０３の光配線架１０５に前記各光ファイバ収納ケース１０１の横幅方向の側面が隣り合うように横並びに並べられて光集合モジュール１０７が構成されている。
【０００６】
上記の光ファイバ収納ケース１０１に装着される光アダプタ１０９は、図７及び図８（Ｃ）に示されているように当該光アダプタ１０９の中央部に、単心光ファイバ１１１の先端を成端した光コネクタ１１３を接続、抜脱可能なコネクタ差込穴１１５が設けられており、このコネクタ差込穴１１５の図７において左右の両側には光アダプタ１０９を光ファイバ収納ケース１０１に取り付けるための取付部１１７が突出されている。また、前記各取付部１１７には、光アダプタ１０９をネジ止めして固定するための固定具としての取付用ビス１１９を挿通するビス挿通孔（図示省略）が設けられている。
【０００７】
光ファイバ収納ケース１０１は、そのケース本体１２１がほぼ直方体をなす扁平縦型となっており、このケース本体１２１の扁平幅寸法Ｗ１を有する前面には複数の光アダプタ１０９を取り付けるためのアダプタ取付板１２３が設けられており、このアダプタ取付板１２３には複数の光アダプタ１０９が図７において上下方向に並列に挿入するための図示しないアダプタ装着穴部が設けられている。
【０００８】
前記アダプタ装着穴部の両側には複数の光アダプタ１０９の両側の取付部１１７を図７において上下方向に並列に配列して突き当てるアダプタ突当て面が設けられている。さらに、前記アダプタ突当て面には上記の取付用ビス１１９を螺合するネジ孔（図示省略）が設けられている。したがって、複数の光アダプタ１０９が図７において上下方向に並列されてアダプタ装着穴部に挿入されて複数の光アダプタ１０９の両側の取付部１１７がアダプタ突当て面に突き当てられると共に、各光アダプタ１０９はそれぞれ取付用ビス１１９を取付部１１７の２箇所のビス挿通孔に挿通してアダプタ突当て面にネジ止め固定される。
【０００９】
なお、図７及び図８（Ａ），（Ｂ），（Ｃ）では複数の光アダプタ１０９が取付用ビス１１９によりアダプタ突当て面にネジ止め固定されているが、他の固定方法としては、各光アダプタ１０９自体に備えられている板バネを利用することも行われている。つまり、光アダプタ１０９にはアダプタ装着穴部に挿入される側の対向する両側面に板バネが突設されており、光アダプタ１０９がアダプタ装着穴部に挿入されたときに前記板バネでアダプタ装着穴部の内壁面を押圧する反力により固定される。
【００１０】
また、アダプタ取付板１２３には、アダプタ突当て面の図８（Ｃ）において左外側に、複数の各光アダプタ１０９に対応する線番表示１２５を表示するためのスペース１２７が設けられている。さらに、アダプタ取付板１２３の図７及び図８（Ｃ）において上部には取付用ビス１２９を挿通するビス挿通孔（図示省略）が設けられており、下部には光配線架１０５に突き当てるための突当て用突起部１３１が設けられている。したがって、光ファイバ収納ケース１０１は、アダプタ取付板１２３と突当て用突起部１３１が光配線架１０５の所定位置に突き当てられると共に、取付用ビス１２９をアダプタ取付板１２３のビス挿通孔に挿通して光配線架１０５にネジ止め固定される。
【００１１】
なお、上述した複数の各光アダプタ１０９には、図７に示されている光ファイバ収納ケース１０１の外側のコネクタ差込穴１１５の他に、光ファイバ収納ケース１０１の内部側にもコネクタ差込穴（図示省略）が設けられており、このコネクタ差込穴には、光ファイバ収納ケース１０１の内部に収納される単心光ファイバ１１１の先端に成端された光コネクタが接続される。
【特許文献１】特開２０００−２９２６４６号公報
【特許文献２】特開平１０−９０５２５号公報
【特許文献３】特開平８−２７１７６１号公報
【発明の開示】
【発明が解決しようとする課題】
【００１２】
ところで、近年、光通信の加入者が増大するにつれて、光ファイバの収納心線数が増大しており、これに伴って、光集合モジュール１０７における限られた光配線架１０５の中で効率良く、光ファイバを高密度に収納することが求められてきている。
【００１３】
しかし、従来の光ファイバ収納ケース１０１では、複数の各光アダプタ１０９が取付用ビス１１９により両側の取付部１１７のビス挿通孔を介してアダプタ取付板１２３にネジ止めされるので、各ビス挿通孔が表面側に開放される必要がある。しかも、各光アダプタ１０９は対応する線番表示１２５を表示する必要があり、この線番表示１２５は上記の取付部１１７のビス挿通孔を避けて図７及び図８（Ｃ）において左右の一方側又は左右両側に設ける必要があるので、小型化（薄型化）を図れないという問題点があった。その結果、光ファイバ収納ケース１０１の一個あたりの横幅寸法Ｗ１が、線番表示１２５のスペース１２７の分だけ大きくなるために、全体的には、光集合モジュール１０７を構成する限られた光配線架１０５の中に収納される光ファイバ収納ケース１０１の数が少なくなるという問題点があった。
【００１４】
また、各光アダプタ１０９の線番表示１２５は両側に設ける必要があるので、図７及び図８（Ｃ）に示されているように線番表示１２５のスペース１２７が左右の一方側（図では左側）だけのときは、光アダプタ１０９には線番表示１２５のスペース１２７がない方（図では右側）の側面に線番表示シールを貼る必要がある。そのために、正面からの線番確認がしにくくなる。特に、光アダプタ１０９の両側に線番表示１２５のスペース１２７がない場合は、より一層、線番確認が困難になるという問題点があった。
【００１５】
また、光アダプタ１０９の取付方法が取付用ビス１１９によるネジ止め固定方式の場合は、１つの光アダプタ１０９当たり２箇所のネジ止めを行うので、多数の光アダプタ１０９を取り付けるときは、作業数が膨大で手間がかかると共に、アダプタ取付板１２３に多数のネジ孔加工を行う必要があるので歩留まりが悪いという問題点があった。
【００１６】
一方、各光アダプタ１０９自体に備えられている板バネを利用する固定方式では、光アダプタ１０９のガタツキが大きいという問題点があった。
【００１７】
この発明は上述の課題を解決するためになされたものである。
【課題を解決するための手段】
【００１８】
この発明の光配線箱は、第１方向の両側に突出する取付部を備えた複数の光アダプタを、前記第１方向に直交する第２方向に並列に配設して前面を取付ける光配線箱において、
前記光アダプタの両側の取付部の第１方向の全長とほぼ同じ幅寸法を有するケース本体と、このケース本体の前記幅寸法を有する前面に、前記複数の光アダプタを前記第２方向に並列に挿入するアダプタ装着穴部と、このアダプタ装着穴部の前記第１方向の両側に前記複数の光アダプタの両側の取付部を第２方向に並列に配列して突き当てるアダプタ突当て部と、このアダプタ突当て部に突き当てられた前記複数の光アダプタの両側の取付部を第２方向に亘って押さえて固定する押え部材と、から構成してなることを特徴とするものである。
【００１９】
この発明の光配線箱は、前記光配線箱において、前記押え部材の表面側に、前記複数の各光アダプタに対応する線番表示を設けていることが好ましい。
【００２０】
この発明の光配線箱は、前記光配線箱において、前記押え部材を、前記複数の光アダプタの取付部のうちの一又は複数箇所の位置で固定具を介して前記アダプタ突当て部に固定することが好ましい。
【００２１】
この発明の光配線箱は、前記光配線箱において、前記押え部材を、前記複数の光アダプタの取付部の第２方向の両外側の位置で固定具を介して前記アダプタ突当て部に固定することが好ましい。
【００２２】
この発明の光集合モジュールは、一方向の両側に突出する取付部を備えた複数個の光アダプタを、前記第１方向に直交する第２方向に並列に配設して前面に取付ける光配線箱と、この光配線箱の複数個を前記第１方向に並列に配設する光配線架と、からなる光集合モジュールにおいて、
前記各光配線箱が、前記光アダプタの両側の取付部の第１方向の全長とほぼ同じ幅寸法を有するケース本体と、このケース本体の前記幅寸法を有する端面に、前記複数の光アダプタを前記第２方向に並列に挿入するアダプタ装着穴部と、このアダプタ装着穴部の前記第１方向の両側に前記複数の光アダプタの両側の取付部を第２方向に並列に配列して突き当てるアダプタ突当て部と、このアダプタ突当て部に突き当てられた前記複数の光アダプタの両側の取付部を第２方向に亘って押さえて固定する押え部材と、から構成していることを特徴とするものである。
【００２３】
この発明の光集合モジュールは、前記光集合モジュールにおいて、前記押え部材を、前記押え部材の表面側に、前記複数の各光アダプタに対応する線番表示を設けていることが好ましい。
【００２４】
この発明の光集合モジュールは、前記光集合モジュールにおいて、前記押え部材を、前記押え部材を、前記複数の光アダプタの取付部のうちの一又は複数箇所の位置で固定具を介して前記アダプタ突当て部に固定することが好ましい。
【００２５】
この発明の光集合モジュールは、前記光集合モジュールにおいて、前記押え部材を、前記押え部材を、前記複数の光アダプタの取付部の第２方向の両外側の位置で固定具を介して前記アダプタ突当て部に固定することが好ましい。
【発明の効果】
【００２６】
以上のごとき課題を解決するための手段から理解されるように、この発明によれば、光配線箱は、複数の光アダプタを第２方向に並列にアダプタ装着穴部に挿入して両側の取付部がアダプタ突当て部に突き当てられた後に、複数の光アダプタの両側の取付部がそれぞれ押え部材により第２方向の全長に亘って押さえて固定されるので、複数の光アダプタの取付作業が容易に且つ短時間で行うことができる。
【００２７】
しかも、上記の押え部材を固定具を用いて固定する箇所は、第２方向の一又は複数箇所の少ない位置でよいので、簡単に行うことができる。
【００２８】
また、押え部材は少ない箇所で固定されるために、押え部材の表面に複数の各光アダプタに対応する線番表示を設けることができるので、ケース本体の第１方向の幅寸法は光アダプタの両側の取付部の第１方向の全長とほぼ同じ寸法にでき、薄型化を実現できる。しかも、この薄型モジュールの光配線箱であっても複数の光アダプタの線番表示を正面から視認することができる。
【００２９】
光集合モジュールでは、光配線箱が薄型モジュールであるので、限られた範囲の光配線架に、上記の光配線箱を増大して多数集合することができる。しかも、各光配線箱は複数の光アダプタの線番表示を正面から視認できるので、隣り合う光配線箱の間に間隔を設ける必要が無く、光配線箱を隣接して並列に配列することができる。結果として、光ファイバを高密度に収納することが可能となる。
【発明を実施するための最良の形態】
【００３０】
以下、この発明の実施の形態について図面を参照して説明する。
【００３１】
図１、図２及び図３（Ａ），（Ｂ），（Ｃ）を参照するに、この実施の形態に係る光配線箱１は扁平縦型であって、複数の光アダプタ３が装着されている。
【００３２】
上記の各光アダプタ３は、その中央部に、単心光ファイバ５の先端を成端した光コネクタ７を接続、抜脱可能なコネクタ差込穴９が設けられており、このコネクタ差込穴９の第１方向（図１において左右方向）の両側には光アダプタ３を光配線箱１に取り付けるための取付部１１が突出されている。また、前記各取付部１１には、光アダプタ３をネジ止めして固定するための固定具としての例えば取付用ビス１３を挿通するビス挿通孔１５が設けられている。
【００３３】
また、上記の各光アダプタ３には、図１に示されている光配線箱１の外側に位置するコネクタ差込穴９に対向する反対側、すなわち光配線箱１の内部側にもコネクタ差込穴（図示省略）が設けられており、このコネクタ差込穴には、光配線箱１の内部に収納される単心光ファイバ５の先端に成端された光コネクタ１７が接続される。
【００３４】
また、光配線箱１のケース本体１９はほぼ直方体をなす扁平縦型となっており、図３（Ｃ）に示されているように前記光アダプタ３の両側の取付部１１の第１方向の全長とほぼ同じ幅寸法Ｗ０を有している。このケース本体１９の前記幅寸法Ｗ０を有する前面には複数の光アダプタ３を取り付けるためのアダプタ取付板２１が設けられており、このアダプタ取付板２１には複数の光アダプタ３が前記第１方向に直交する第２方向（図１において上下方向）に並列に挿入するためのアダプタ装着穴部２３が設けられている。
【００３５】
また、前記アダプタ取付板２１には、アダプタ装着穴部２３の第１方向の両側に複数の光アダプタ３の両側の取付部１１を第２方向に並列に配列して突き当てるアダプタ突当て部としての例えばアダプタ突当て面２５が設けられている。
【００３６】
また、上記のアダプタ突当て面２５に突き当てられた複数の光アダプタ３の両側の取付部１１は、押え部材としての例えば押え板２７により、それぞれ第２方向に亘って押さえて固定されるように構成されている。この実施の形態では、複数の光アダプタ３のうちの第２方向の両端側の２つの光アダプタ３の取付部１１の位置で、取付用ビス１３によってネジ止め固定されるように、上記のアダプタ突当て面２５には前記取付用ビス１３を螺合するための合計４つのネジ孔２９が設けられている。一方、各押え板２７は光アダプタ３の取付部１１の第１方向の長さとほぼ同じ幅寸法であり、並列に配列された複数の光アダプタ３の取付部１１の第２方向の全長とほぼ同じ長さ寸法であり、押え板２７の長手方向の両端側には、上記の取付用ビス１３を挿通可能な貫通孔３１が設けられている。
【００３７】
また、上記の押え板２７の表面には、複数の各光アダプタ３に対応する線番表示３３が設けられている。
【００３８】
さらに、アダプタ取付板２１の図１において上部には取付用ビス３５を挿通するビス挿通孔３７が設けられており、下部には多数の光配線箱１を集合して光集合モジュールを構成するための光配線架３９に突き当てるために突当て用突起部４１が設けられている。なお、光配線架３９にはアダプタ取付板２１を固定するために前記取付用ビス３５に螺合するネジ穴４３が設けられている。
【００３９】
したがって、光配線箱１は、アダプタ取付板２１と突当て用突起部４１が光配線架３９の所定位置に突き当てられると共に、取付用ビス３５をアダプタ取付板２１のビス挿通孔３７に挿通して光配線架３９のネジ穴４３にネジ止め固定される。なお、光集合モジュールについて詳しくは後述する。
【００４０】
上記構成により、複数の光アダプタ３が図１において上下方向に並列にアダプタ装着穴部２３に挿入されて複数の光アダプタ３の両側の取付部１１がアダプタ突当て面２５に突き当てられた後に、２つの押え板２７が複数の光アダプタ３の両側の取付部１１の前方（図１において左斜め下側）の面に第２方向の全長に亘って押し当てられ、次いで取付用ビス１３が各押え板２７の長手方向の両端側の貫通孔３１、及び光アダプタ３の取付部１１のビス挿通孔１５に挿入されてアダプタ突当て面２５のネジ孔２９にネジ止めすることにより、複数の光アダプタ３の全体がアダプタ突当て面２５に固定されることとなる。
【００４１】
すなわち、アダプタ突当て面２５には４つの少数のネジ孔２９を設けるだけでよいので、ネジ孔加工の作業時間を大幅に短縮できると共に、４つの取付用ビス１３でネジ止めするだけでよいので、複数の光アダプタ３をアダプタ突当て面２５に装着することが容易に短時間で完了する。
【００４２】
なお、上記の押え板２７を取付用ビス１３でネジ止めする箇所は、前述したように第２方向の両端側の光アダプタ３の取付部１１の位置に限らず、任意の光アダプタ３の取付部１１の位置であっても構わない。あるいは、複数の光アダプタ３の第２方向の長さのほぼ中央に位置する１つの光アダプタ３の取付部１１の位置で、押え板２７の長手方向のほぼ中央の１つの貫通孔３１を介して取付用ビス１３によりネジ止めしても構わない。あるいは、上記の光アダプタ３の取付部１１のビス挿通孔１５を用いずに、別途に例えばビス挿通孔を備えたブロックなどの介在部材を前記複数の光アダプタ３の第２方向の両外側に設け、前記介在部材に設けたビス挿通孔に取付用ビス１３を挿通して押え板２７をアダプタ突当て面２５にネジ止めしても構わない。
【００４３】
また、上記のように長い押え板２７により少数の取付用ビス１３でネジ止めするので、押え板２７の表面に複数の各光アダプタ３に対応する線番表示３３を設けることができる。その結果、アダプタ取付板２１は従来のように複数の各光アダプタ３と別に表示用のスペースを設ける必要がないので、光配線箱１のケース本体１９の第１方向の横幅は光アダプタ３の両側の取付部１１の第１方向の全長とほぼ同じ寸法Ｗ０とすることができる。ちなみに、従来の光ファイバ収納ケース１は横幅寸法Ｗ１〔図８（Ｃ）を参照〕が例えば３０ｍｍであったが、この実施の形態の光ファイバ収納ケース１は横幅寸法Ｗ０を例えば２５ｍｍまでに減らすことが可能になった。
【００４４】
したがって、線番表示３３が光アダプタ３のアダプタ差込穴９の両側に表示されるので、従来のような線番表示１２５のスペースを別途に設けられないような薄型モジュールであっても線番表示３３を正面から視認することが可能となる。しかも、従来のように光アダプタの側面に表示した線番表示を確認するために隣り合う光ファイバ収納ケースの間に間隔を設ける必要が無く、光配線箱１を隣接して並列に配列することが可能となる。
【００４５】
なお、この実施の形態の光配線箱は、光モジュール、パッチパネル、アダプタパネル等のように複数個のアダプタを連結させて固定する製品に幅広く適用されるものである。
【００４６】
図４及び図５を参照するに、上記の光配線箱１は、多数個が例えば光成端箱４５の光配線架３９に各光配線箱１の扁平縦型の横幅方向の側面が隣り合うように、換言すれば第１方向に隣接するように横並びに並べられて光集合モジュール４７が構成される。図４では多数の光配線箱１が３段に並べられている。
【００４７】
この光集合モジュール４７では、図５に示されているように多数の光配線箱１が互いの側面を間隔なしに隣接するように並列されても、全ての光配線箱１の線番表示３３が正面から容易に視認することが可能となっている。
【００４８】
図６を参照するに、この実施の形態の光集合モジュール４７は、例えば、局舎４９内の光ケーブル５１から単心光ファイバ５に分岐され、これらの各単心光ファイバ５の先端は光コネクタ７にて成端される。この成端した各光コネクタ７は光配線箱１の対応する光アダプタ３の図６において左側のアダプタ差込穴９（図１を参照）に差し込まれて接続される。光配線箱１のケース本体１９の内部では、光アダプタ３の図６において右側のアダプタ差込穴（図示省略）に他の光コネクタ１７が差し込まれている。各光コネクタ１７には単心光ファイバ５が成端されており、これらの各単心光ファイバ５はケース本体１９の図６において右側の光コネクタ５３に接続されている。
【００４９】
一方、光成端箱４５には光配線箱１の複数の光コネクタ５３と接続される複数の光アダプタ５５が設けられており、光配線箱１が取付用ビス３５で光成端箱４５の光配線架３９に取り付けられるときに、各光コネクタ５３が対応する各光アダプタ５５に差し込まれて接続されるように構成されている。さらに、各光アダプタ５５には加入者側の単心光ファイバ５に成端された光コネクタ５７が接続、抜脱可能となっている。以上のように、光配線箱１は外部の光ファイバが光コネクタ及び光アダプタ３によって切り替え自在となっている。
【図面の簡単な説明】
【００５０】
【図１】この発明の実施の形態の光配線箱の分解斜視図である。
【図２】図１を組み込んだ状態の光配線箱の斜視図である。
【図３】この発明の実施の形態の光配線箱を示すもので、（Ａ）は平面図で、（Ｂ）は側面図で、（Ｃ）は正面図である。
【図４】この発明の実施の形態の光配線箱の多数を集合した光集合モジュール４７の全体的な概略説明図である。
【図５】図４の光集合モジュールの部分的な斜視図である。
【図６】この発明の実施の形態の光配線箱の多数を集合した光集合モジュール４７の接続状態を示す概略的な説明図である。
【図７】従来の光光ファイバ収納ケースの斜視図である。
【図８】従来の光ファイバ収納ケースを示すもので、（Ａ）は平面図で、（Ｂ）は側面図で、（Ｃ）は正面図である。
【図９】従来の光ファイバ収納ケースの多数を集合した光集合モジュールの全体的な概略説明図である。
【符号の説明】
【００５１】
１  光配線箱
３  光アダプタ
５  単心光ファイバ
７  光コネクタ
９  コネクタ差込穴
１１  取付部
１３  取付用ビス（固定具）
１５  ビス挿通孔
１９  ケース本体
２１  アダプタ取付板
２３  アダプタ装着穴部
２５  アダプタ突当て面（アダプタ突当て部）
２７  押え板（押え部材）
３３  線番表示
３９  光配線架
４１  突当て用突起部
４５  光成端箱
４７  光集合モジュール
【図１】
2005165075.tif 000003
【図２】
2005165075.tif 000004
【図３】
2005165075.tif 000005
【図４】
2005165075.tif 000006
【図５】
2005165075.tif 000007
【図６】
2005165075.tif 000008
【図７】
2005165075.tif 000009
【図８】
2005165075.tif 000010
【図９】
2005165075.tif 000011